(57)【要約】【課題】温度分布の均一化を図ることができる蓄電装置を提供する。【解決手段】１以上の蓄電素子３００を有する第一蓄電ユニットを複数備えるとともに、１以上の蓄電素子３００を有し第一蓄電ユニットとは発熱量が異なる第二蓄電ユニットを複数備える蓄電装置１０であって、２つの第一蓄電ユニットの間に配置される第二蓄電ユニットの端子と接続されることなく、２つの第一蓄電ユニットの端子と接続される第一接続部材４１０と、２つの第二蓄電ユニットの間に配置される第一蓄電ユニットの端子と接続されることなく、２つの第二蓄電ユニットの端子と接続される第二接続部材４２０とを備える。【選択図】図３Ａ
2018032560.tif 000002
【特許請求の範囲】
【請求項１】
１以上の蓄電素子を有する第一蓄電ユニットを複数備えるとともに、１以上の蓄電素子を有し前記第一蓄電ユニットとは発熱量が異なる第二蓄電ユニットを複数備える蓄電装置であって、
２つの前記第一蓄電ユニットの間に配置される前記第二蓄電ユニットの端子と接続されることなく、前記２つの第一蓄電ユニットの端子と接続される第一接続部材と、
２つの前記第二蓄電ユニットの間に配置される前記第一蓄電ユニットの端子と接続されることなく、前記２つの第二蓄電ユニットの端子と接続される第二接続部材と
を備える蓄電装置。
【請求項２】
前記２つの第一蓄電ユニットの端子の前記第一接続部材との接続面を第一接続面とし、前記２つの第二蓄電ユニットの端子の前記第二接続部材との接続面を第二接続面とし、前記２つの第一接続面の間に配置される前記第二接続面は、前記２つの第一接続面を結ぶ線分上とは異なる位置に配置されている
請求項１に記載の蓄電装置。
【請求項３】
前記２つの第一接続面のうちの少なくとも１つの第一接続面は、前記２つの第一接続面の間に配置される前記第二接続面よりも高い位置に配置され、
前記第一接続部材は、前記２つの第一接続面のうちの一方の第一接続面から他方の第一接続面に向けて延びて前記２つの第一接続面と接続される
請求項２に記載の蓄電装置。
【請求項４】
前記第二接続部材は、前記２つの第二接続面のうちの一方の第二接続面から、他方の第二接続面に向けた方向と異なる方向に延びて、前記２つの第二接続面と接続される
請求項３に記載の蓄電装置。
【請求項５】
前記第二接続部材は、前記２つの第二接続面から、当該第二接続面と交差する方向から見て前記第二蓄電ユニットの外方へ延びて、前記２つの第二接続面と接続される
請求項４に記載の蓄電装置。
【請求項６】
前記２つの第一接続面の間に配置される前記第二接続面は、当該第二接続面と交差する方向から見て、前記２つの第一接続面を結ぶ線分上とは異なる位置に配置され、
前記第一接続部材は、前記２つの第一接続面のうちの一方の第一接続面から他方の第一接続面に向けて延びて前記２つの第一接続面と接続される
請求項２または３に記載の蓄電装置。
【請求項７】
前記２つの第二接続面の間に配置される前記第一接続面は、当該第一接続面と交差する方向から見て、前記２つの第二接続面を結ぶ線分上とは異なる位置に配置され、
前記第二接続部材は、前記２つの第二接続面のうちの一方の第二接続面から他方の第二接続面に向けて延びて前記２つの第二接続面と接続される
請求項６に記載の蓄電装置。
【請求項８】
前記２つの第一蓄電ユニットの端子の前記第一接続部材との接続面を第一接続面とし、前記２つの第二蓄電ユニットの端子の前記第二接続部材との接続面を第二接続面とし、前記２つの第一接続面と前記２つの第二接続面とは、同じ高さに配置されており、
前記第一接続部材及び前記第二接続部材は、前記２つの第一接続面及び前記２つの第二接続面から、前記第一接続面と前記第二接続面とを結ぶ直線に対して反対側に延びて、前記２つの第一接続面及び前記２つの第二接続面と接続される
請求項１に記載の蓄電装置。
【請求項９】
前記２つの第一蓄電ユニットの端子の前記第一接続部材との接続面を第一接続面とし、前記２つの第二蓄電ユニットの端子の前記第二接続部材との接続面を第二接続面とし、前記２つの第一接続面と前記２つの第二接続面とは、同じ高さに配置されており、
前記第一接続部材は、前記２つの第一接続面から、前記第二接続面よりも高い位置まで延び、かつ、前記第二接続面を跨いで、前記２つの第一接続面と接続される
請求項１に記載の蓄電装置。
【発明の詳細な説明】
【技術分野】
【０００１】
本発明は、複数の蓄電素子を備える蓄電装置に関する。
【背景技術】
【０００２】
従来、複数の蓄電素子を備える蓄電装置が広く知られている（例えば、特許文献１参照）。
【先行技術文献】
【特許文献】
【０００３】
【特許文献１】特開２０１２−２２７１７６号公報
【発明の概要】
【発明が解決しようとする課題】
【０００４】
ここで、上記従来のような蓄電装置が隣接して配置される場合に、蓄電装置内で温度分布が発生する場合があるという問題がある。例えば、複数の蓄電素子を備える蓄電装置と、当該蓄電素子とは発熱量が異なる複数の蓄電素子を備える蓄電装置とが隣接して配置されている場合、蓄電装置間で熱が伝わり、それぞれの蓄電装置内で温度分布が発生する。蓄電装置内で温度分布が発生すると、蓄電素子の性能のばらつきを誘発する。
【０００５】
本発明は、上記問題を解決するためになされたものであり、温度分布の均一化を図ることができる蓄電装置を提供することを目的とする。
【課題を解決するための手段】
【０００６】
上記目的を達成するために、本発明の一態様に係る蓄電装置は、１以上の蓄電素子を有する第一蓄電ユニットを複数備えるとともに、１以上の蓄電素子を有し前記第一蓄電ユニットとは発熱量が異なる第二蓄電ユニットを複数備える蓄電装置であって、２つの前記第一蓄電ユニットの間に配置される前記第二蓄電ユニットの端子と接続されることなく、前記２つの第一蓄電ユニットの端子と接続される第一接続部材と、２つの前記第二蓄電ユニットの間に配置される前記第一蓄電ユニットの端子と接続されることなく、前記２つの第二蓄電ユニットの端子と接続される第二接続部材とを備える。
【０００７】
これによれば、蓄電装置は、発熱量が異なる第一蓄電ユニットと第二蓄電ユニットとを備えており、２つの第一蓄電ユニットの端子を接続する第一接続部材は、第二蓄電ユニットの端子には接続されず、２つの第二蓄電ユニットの端子を接続する第二接続部材は、第一蓄電ユニットの端子には接続されない。ここで、第一蓄電ユニットと第二蓄電ユニットとが同じ接続部材で直列接続されると電流値が同じになり、並列接続されると電圧値が同じになるが、異なる接続部材に接続されるため、電流値や電圧値に制限がなく、発熱量の差が大きくなる傾向にある。つまり、当該蓄電装置は、複数の第一蓄電ユニットを有する蓄電装置と、複数の第二蓄電ユニットを有する蓄電装置という発熱量の差が大きくなる傾向にある２つの蓄電装置を備えたような構成になっている。そして、このような構成において、２つの第一蓄電ユニットの間に第二蓄電ユニットが配置され、２つの第二蓄電ユニットの間に第一蓄電ユニットが配置される。これにより、発熱量が異なる第一蓄電ユニットと第二蓄電ユニットとを分散させて配置させることで、当該蓄電装置内の温度分布の均一化を図ることができる。
【０００８】
また、前記２つの第一蓄電ユニットの端子の前記第一接続部材との接続面を第一接続面とし、前記２つの第二蓄電ユニットの端子の前記第二接続部材との接続面を第二接続面とし、前記２つの第一接続面の間に配置される前記第二接続面は、前記２つの第一接続面を結ぶ線分上とは異なる位置に配置されていることにしてもよい。
【０００９】
これによれば、第二蓄電ユニットの端子の第二接続部材との接続面である第二接続面が、２つの第一蓄電ユニットの端子の第一接続部材との接続面である２つの第一接続面を結ぶ線分上に配置されていない。このため、第一接続部材で２つの第一接続面を結ぶ際に、第二接続面が邪魔になるのを抑制することができる。
【００１０】
また、前記２つの第一接続面のうちの少なくとも１つの第一接続面は、前記２つの第一接続面の間に配置される前記第二接続面よりも高い位置に配置され、前記第一接続部材は、前記２つの第一接続面のうちの一方の第一接続面から他方の第一接続面に向けて延びて前記２つの第一接続面と接続されることにしてもよい。
【００１１】
これによれば、少なくとも１つの第一接続面を第二接続面よりも高い位置に配置して、第一接続部材を、一方の第一接続面から他方の第一接続面に向けて延びるように、２つの第一接続面と接続させる。これにより、第一接続部材を、２つの第一接続面を直線的に結ぶ簡易な構成とすることができる。
【００１２】
また、前記第二接続部材は、前記２つの第二接続面のうちの一方の第二接続面から、他方の第二接続面に向けた方向と異なる方向に延びて、前記２つの第二接続面と接続されることにしてもよい。
【００１３】
これによれば、第二接続部材が、一方の第二接続面から他方の第二接続面に向けた方向と異なる方向に延びて２つの第二接続面と接続する構成とすることで、第二接続部材に、第一蓄電ユニットの端子を迂回させ、容易に、２つの第二接続面と接続させることができる。
【００１４】
また、前記第二接続部材は、前記２つの第二接続面から、当該第二接続面と交差する方向から見て前記第二蓄電ユニットの外方へ延びて、前記２つの第二接続面と接続されることにしてもよい。
【００１５】
ここで、第二蓄電ユニットの正極端子と負極端子との間にガス排出弁や基板などが配置される場合には、ガスの排出経路や当該基板の配置スペースなどを確保する必要がある。このため、第二接続部材が、２つの第二接続面から第二蓄電ユニットの外方へ延びて２つの第二接続面と接続される構成とすることで、ガスの排出経路や当該基板の配置スペースなどを容易に確保することができる。
【００１６】
また、前記２つの第一接続面の間に配置される前記第二接続面は、当該第二接続面と交差する方向から見て、前記２つの第一接続面を結ぶ線分上とは異なる位置に配置され、前記第一接続部材は、前記２つの第一接続面のうちの一方の第一接続面から他方の第一接続面に向けて延びて前記２つの第一接続面と接続されることにしてもよい。
【００１７】
これによれば、第二接続面を、当該第二接続面と交差する方向から見て、２つの第一接続面を結ぶ線分上に配置せずに、第一接続部材を、一方の第一接続面から他方の第一接続面に向けて延びるように、２つの第一接続面と接続させる。これにより、第一接続部材を、２つの第一接続面を直線的に結ぶ簡易な構成とすることができる。
【００１８】
また、前記２つの第二接続面の間に配置される前記第一接続面は、当該第一接続面と交差する方向から見て、前記２つの第二接続面を結ぶ線分上とは異なる位置に配置され、前記第二接続部材は、前記２つの第二接続面のうちの一方の第二接続面から他方の第二接続面に向けて延びて前記２つの第二接続面と接続されることにしてもよい。
【００１９】
これによれば、第一接続面を、当該第一接続面と交差する方向から見て、２つの第二接続面を結ぶ線分上には配置せずに、第二接続部材を、一方の第二接続面から他方の第二接続面に向けて延びるように、２つの第二接続面と接続させる。これにより、第二接続部材を、２つの第二接続面を直線的に結ぶ簡易な構成とすることができる。
【００２０】
また、前記２つの第一蓄電ユニットの端子の前記第一接続部材との接続面を第一接続面とし、前記２つの第二蓄電ユニットの端子の前記第二接続部材との接続面を第二接続面とし、前記２つの第一接続面と前記２つの第二接続面とは、同じ高さに配置されており、前記第一接続部材及び前記第二接続部材は、前記２つの第一接続面及び前記２つの第二接続面から、前記第一接続面と前記第二接続面とを結ぶ直線に対して反対側に延びて、前記２つの第一接続面及び前記２つの第二接続面と接続されることにしてもよい。
【００２１】
これによれば、第一接続面と第二接続面とが同じ高さに配置され、第一接続部材及び第二接続部材が、第一接続面及び第二接続面から反対側に延びて、２つの第一接続面及び２つの第二接続面と接続される。このため、第一接続面と第二接続面とが同じ高さに配置されている場合でも、第一接続部材及び第二接続部材が、第二蓄電ユニットの端子及び第一蓄電ユニットの端子を迂回することで、容易に、第一接続部材及び第二接続部材を２つの第一接続面及び２つの第二接続面と接続させることができる。
【００２２】
また、前記２つの第一蓄電ユニットの端子の前記第一接続部材との接続面を第一接続面とし、前記２つの第二蓄電ユニットの端子の前記第二接続部材との接続面を第二接続面とし、前記２つの第一接続面と前記２つの第二接続面とは、同じ高さに配置されており、前記第一接続部材は、前記２つの第一接続面から、前記第二接続面よりも高い位置まで延び、かつ、前記第二接続面を跨いで、前記２つの第一接続面と接続されることにしてもよい。
【００２３】
これによれば、第一接続面と第二接続面とが同じ高さに配置されている場合でも、第一接続部材が、第二接続面よりも高い位置で第二接続面を跨ぐことで、容易に、第一接続部材を２つの第一接続面と接続させることができる。
【００２４】
以上のように、蓄電装置において、第一接続部材及び第二接続部材を容易に構成することで、蓄電装置内の温度分布の均一化を容易に図ることができる。なお、本発明は、このような蓄電装置として実現することができるだけでなく、当該蓄電装置が備える接続部材（第一接続部材、第二接続部材）としても実現することができる。
【発明の効果】
【００２５】
本発明における蓄電装置によれば、温度分布の均一化を図ることができる。
【図面の簡単な説明】
【００２６】
【図１】実施の形態に係る蓄電装置の外観を示す斜視図である。
【図２】実施の形態に係る蓄電装置を分解した場合の各構成要素を示す分解斜視図である。
【図３Ａ】実施の形態に係る蓄電素子の電極端子とバスバーとの接続形態及びバスバーの構成を示す平面図である。
【図３Ｂ】実施の形態に係る蓄電素子の電極端子とバスバーとの接続形態及びバスバーの構成を示す側面図である。
【図４Ａ】実施の形態の変形例１に係る蓄電素子の電極端子とバスバーとの接続形態及びバスバーの構成を示す平面図である。
【図４Ｂ】実施の形態の変形例１に係る蓄電素子の電極端子とバスバーとの接続形態及びバスバーの構成を示す側面図である。
【図５Ａ】実施の形態の変形例２に係る蓄電素子の電極端子とバスバーとの接続形態及びバスバーの構成を示す平面図である。
【図５Ｂ】実施の形態の変形例２に係る蓄電素子の電極端子とバスバーとの接続形態及びバスバーの構成を示す側面図である。
【図６Ａ】実施の形態の変形例３に係る蓄電素子の電極端子とバスバーとの接続形態及びバスバーの構成を示す平面図である。
【図６Ｂ】実施の形態の変形例３に係る蓄電素子の電極端子とバスバーとの接続形態及びバスバーの構成を示す側面図である。
【図７Ａ】実施の形態の変形例４に係る蓄電素子の電極端子とバスバーとの接続形態及びバスバーの構成を示す平面図である。
【図７Ｂ】実施の形態の変形例４に係る蓄電素子の電極端子とバスバーとの接続形態及びバスバーの構成を示す側面図である。
【図８】実施の形態の変形例５に係る蓄電装置の構成を模式的に示す平面図である。
【発明を実施するための形態】
【００２７】
以下、図面を参照しながら、本発明の実施の形態に係る蓄電装置について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２８】
また、以下の説明及び図面中において、蓄電素子の並び方向、蓄電素子の容器の長側面の対向方向、または、当該容器の厚さ方向をＸ軸方向と定義する。また、１つの蓄電素子における電極端子の並び方向、または、蓄電素子の容器の短側面の対向方向をＹ軸方向と定義する。また、蓄電素子の上下方向（容器の蓋を上方に向けて設置した状態での重力の作用する方向）をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２９】
（実施の形態）
まず、蓄電装置１０の構成について、説明する。
【００３０】
図１は、本実施の形態に係る蓄電装置１０の外観を示す斜視図である。また、図２は、本実施の形態に係る蓄電装置１０を分解した場合の各構成要素を示す分解斜視図である。なお、これらの図では、説明の便宜のため、外装体１００の蓋体は省略して図示している。
【００３１】
蓄電装置１０は、外部からの電気を充電し、また外部へ電気を放電することができる装置である。例えば、蓄電装置１０は、電気自動車（ＥＶ）、ハイブリッド電気自動車（ＨＥＶ）またはプラグインハイブリッド電気自動車（ＰＨＥＶ）等の自動車用電源や、電力貯蔵用電源などに使用される電池モジュールである。
【００３２】
図１及び図２に示すように、蓄電装置１０は、外装体１００と、外装体１００内方に収容される蓄電素子３００及びバスバー４００等を備えている。なお、蓄電装置１０は、外部の導電部材と蓄電素子３００の電極端子とを接続する外部端子（図示せず）も備えているが、詳細については後述する。また、蓄電装置１０は、これらの構成の他に、バスバー４００を蓄電素子３００の電極端子に対して位置決めするバスバーフレーム、及び、回路基板やリレーなどの電気機器等も備えていてもよい。
【００３３】
外装体１００は、蓄電装置１０の外装体を構成する矩形状（箱状）の容器（モジュールケース）である。つまり、外装体１００は、蓄電素子３００やバスバー４００等の外方に配置され、蓄電素子３００等を衝撃などから保護する。また、外装体１００は、例えばポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁性の樹脂材料により構成されている。外装体１００は、これにより、蓄電素子３００等が外部の金属部材などに接触することを回避する。なお、外装体１００は、扁平な矩形状の蓋体（図示せず）も有しているが、当該蓋体の説明は省略する。
【００３４】
蓄電素子３００は、電気を充電し、また、電気を放電することのできる二次電池（単電池）であり、より具体的には、リチウムイオン二次電池などの非水電解質二次電池である。蓄電素子３００は、扁平な角型の形状を有しており、本実施の形態では、外装体１００内に８個の蓄電素子３００がＸ軸方向に並べられて収容されている。なお、蓄電素子３００は、非水電解質二次電池には限定されず、非水電解質二次電池以外の二次電池であってもよいし、キャパシタであってもよい。また、外装体１００内に収容される蓄電素子３００の個数も限定されない。
【００３５】
ここで、蓄電素子３００は、容器３１０と、正極端子３２０と、負極端子３３０とを備えている。なお、容器３１０の内方には、電極体（発電要素）、正極集電体、負極集電体等が配置され、また、電解液（非水電解質）なども封入されているが、これらは省略して図示し、詳細な説明も省略する。
【００３６】
容器３１０は、上方（Ｚ軸方向プラス側）に蓋部を有する直方体形状（角型）のケースである。容器３１０の材質は、特に限定されないが、例えばステンレス鋼、アルミニウム、アルミニウム合金など溶接可能な金属であるのが好ましい。また、容器３１０の蓋部には、容器３１０の内圧が上昇したときに容器３１０内部のガスを排出するガス排出弁３４０が形成されている。また、当該蓋部には、容器３１０内部に電解液を注入するための注液口と当該注液口を塞ぐ注液栓も配置されているが、これらの詳細な説明は省略する。
【００３７】
正極端子３２０は、蓄電素子３００の正極側の電極端子であり、負極端子３３０は、蓄電素子３００の負極側の電極端子であり、いずれも容器３１０の蓋部に取り付けられている。つまり、正極端子３２０及び負極端子３３０は、電極体に蓄えられている電気を蓄電素子３００の外部空間に導出し、また、電極体に電気を蓄えるために蓄電素子３００の内部空間に電気を導入するための金属製の電極端子である。本実施の形態では、蓄電素子３００は、正極端子３２０及び負極端子３３０を上方に向けた状態で配置されている。
【００３８】
バスバー４００は、複数の蓄電素子３００の電極端子の上方に配置され、当該電極端子同士を電気的に接続する金属などの導電性の板状部材である。具体的には、バスバー４００は、一の蓄電素子３００の正極端子３２０または負極端子３３０と、他の蓄電素子３００の負極端子３３０または正極端子３２０とを接続する。
【００３９】
本実施の形態では、バスバー４００は、蓄電素子３００の電極端子に、レーザ溶接、抵抗溶接または超音波溶接などの溶接接合によって接続されるが、ボルト締めやかしめなどの機械的接合によって接続されてもよい。また、バスバー４００は、導電性の部材として、例えばアルミニウムで形成されているが、バスバー４００の材質は特に限定されない。また、バスバー４００は、全てが同じ材質の部材で形成されていてもよいし、いずれかのバスバーが異なる材質の部材で形成されていてもかまわない。
【００４０】
次に、蓄電素子３００の電極端子とバスバー４００との接続形態、及び、バスバー４００の構成について、さらに詳細に説明する。
【００４１】
図３Ａは、本実施の形態に係る蓄電素子３００の電極端子とバスバー４００との接続形態及びバスバー４００の構成を示す平面図である。また、図３Ｂは、本実施の形態に係る蓄電素子３００の電極端子とバスバー４００との接続形態及びバスバー４００の構成を示す側面図である。つまり、図３Ａは、蓄電素子３００の電極端子にバスバー４００が接続された構成を、Ｚ軸方向プラス側から見た図であり、図３Ｂは、蓄電素子３００の電極端子にバスバー４００が接続された構成を、Ｙ軸方向マイナス側から見た図である。
【００４２】
ここで、これらの図に示すように、８つの蓄電素子３００を、Ｘ軸方向マイナス側から順に、蓄電素子３０１〜３０８とし、蓄電素子３０１〜３０８の正極端子３２０及び負極端子３３０を、正極端子３２１〜３２８及び負極端子３３１〜３３８とする。また、蓄電素子３０１、３０３、３０５及び３０７を接続するバスバー４００を、第一接続部材４１０とし、蓄電素子３０２、３０４、３０６及び３０８を接続するバスバー４００を、第二接続部材４２０とする。つまり、蓄電素子３０１、３０３、３０５及び３０７と蓄電素子３０２、３０４、３０６及び３０８とは、バスバー４００を介して電気的に接続されておらず、系統の異なる蓄電素子群である。
【００４３】
このため、以降の説明では、説明の便宜のため、蓄電素子３０１、３０３、３０５及び３０７のそれぞれを第一蓄電ユニットと称し、蓄電素子３０２、３０４、３０６及び３０８のそれぞれを第二蓄電ユニットと称することもある。なお、蓄電ユニットは、１以上の蓄電素子を有する機器の総称として用いており、本実施の形態では、各蓄電ユニットは、１つの蓄電素子を有している。
【００４４】
また、蓄電素子３０１、３０３、３０５及び３０７（第一蓄電ユニット）は、蓄電素子３０２、３０４、３０６及び３０８（第二蓄電ユニット）とは、発熱量が異なる。つまり、第一蓄電ユニットのそれぞれが同程度の発熱量であり、第二蓄電ユニットのそれぞれも同程度の発熱量であるが、第一蓄電ユニットの発熱量と第二蓄電ユニットの発熱量とは異なっている。このように、蓄電装置１０は、１つの蓄電素子を有する第一蓄電ユニットを複数備えるとともに、１つの蓄電素子を有し第一蓄電ユニットとは発熱量が異なる第二蓄電ユニットを複数備えている。
【００４５】
なお、発熱量が異なるとは、蓄電素子の種類（内部構成、大きさ、形状等）が異なる場合や、種類が同じでも使用状態（使用時間、使用レートサイクル、使用環境等）によって発熱量が異なっている場合などが含まれる。また、第一蓄電ユニットの発熱量が第二蓄電ユニットの発熱量よりも大きくてもよいし、小さくてもよい。
【００４６】
ここで、本実施の形態では、第一蓄電ユニットは、３つの第一接続部材４１０によって接続されており、第二蓄電ユニットは、３つの第二接続部材４２０によって接続されている。この第一接続部材４１０及び第二接続部材４２０の構成について、以下に、さらに詳細に説明する。
【００４７】
第一接続部材４１０は、２つの第一蓄電ユニットの間に配置される第二蓄電ユニットの端子と接続されることなく、２つの第一蓄電ユニットの端子と接続されるバスバーである。具体的には、Ｘ軸方向マイナス側に配置されている第一接続部材４１０は、蓄電素子３０１及び３０３の間の蓄電素子３０２の電極端子と接続されることなく、蓄電素子３０１及び３０３の電極端子と接続されている。さらに具体的には、当該第一接続部材４１０は、蓄電素子３０１の正極端子３２１と蓄電素子３０３の負極端子３３３と接続されている。他の第一接続部材４１０についても同様であり、第一接続部材４１０は、蓄電素子３０１、３０３、３０５及び３０７の電極端子を直列に順次接続する。
【００４８】
また、第二接続部材４２０は、２つの前記第二蓄電ユニットの間に配置される前記第一蓄電ユニットの端子と接続されることなく、前記２つの第二蓄電ユニットの端子と接続されるバスバーである。具体的には、Ｘ軸方向マイナス側に配置されている第二接続部材４２０は、蓄電素子３０２及び３０４の間の蓄電素子３０３の電極端子と接続されることなく、蓄電素子３０２及び３０４の電極端子と接続されている。さらに具体的には、当該第二接続部材４２０は、蓄電素子３０２の正極端子３２２と蓄電素子３０４の負極端子３３４と接続されている。他の第二接続部材４２０についても同様であり、第二接続部材４２０は、蓄電素子３０２、３０４、３０６及び３０８の電極端子を直列に順次接続する。
【００４９】
なお、第一蓄電ユニットにおいて、蓄電素子３０１の負極端子３３１は、第一蓄電ユニットの負極側の外部端子（図示せず）に、導電部材等を介して接続される。また、蓄電素子３０７の正極端子３２７は、第一蓄電ユニットの正極側の外部端子（図示せず）に、導電部材等を介して接続される。また、第二蓄電ユニットにおいて、蓄電素子３０２の負極端子３３２は、第二蓄電ユニットの負極側の外部端子（図示せず）に、導電部材等を介して接続される。また、蓄電素子３０８の正極端子３２８は、第二蓄電ユニットの正極側の外部端子（図示せず）に、導電部材等を介して接続される。このように、蓄電装置１０は、２つの正極側の外部端子と、２つの負極側の外部端子との４つの外部端子を備えている。
【００５０】
ここで、第一接続部材４１０に接続される、２つの第一蓄電ユニットの端子の第一接続部材４１０との接続面を、第一接続面とする。例えば、蓄電素子３０１の正極端子３２１の第一接続部材４１０との接続面３２１ａと、蓄電素子３０３の負極端子３３３の第一接続部材４１０との接続面３３３ａとが、第一接続面である。また、第二接続部材４２０に接続される、２つの第二蓄電ユニットの端子の第二接続部材４２０との接続面を、第二接続面とする。例えば、蓄電素子３０２の正極端子３２２の第二接続部材４２０との接続面３２２ａと、蓄電素子３０４の負極端子３３４の第二接続部材４２０との接続面３３４ａとが、第二接続面である。他の接続面についても、同様である。
【００５１】
そして、２つの第一接続面の間に配置される第二接続面は、２つの第一接続面を結ぶ線分上とは異なる位置に配置されている。本実施の形態では、２つの第一接続面のうちの少なくとも１つの第一接続面は、２つの第一接続面の間に配置される第二接続面よりも高い位置に配置されている。つまり、接続面３２１ａと接続面３３３ａとが接続面３２２ａよりも高い位置に配置されているため、接続面３２２ａは、接続面３２１ａと接続面３３３ａとを結ぶ線分上とは異なる位置に配置されている。言い換えれば、接続面３２１ａと接続面３３３ａとを結ぶ線分が、接続面３２２ａを上方で跨るように配置されている。
【００５２】
これにより、第一接続部材４１０は、２つの第一接続面のうちの一方の第一接続面から他方の第一接続面に向けて延びて２つの第一接続面と接続される。つまり、第一接続部材４１０は、Ｘ軸方向に延びる矩形状かつ平板状の部材であり、接続面３２１ａから接続面３３３ａに向けて延びて接続面３２１ａ及び接続面３３３ａと接続されている。
【００５３】
なお、接続面３２２ａが、接続面３２１ａと接続面３３３ａとを結ぶ線分上とは異なる位置に配置されるのであれば、接続面３２１ａ及び接続面３３３ａの高さは特に限定されない。例えば、接続面３２１ａまたは接続面３３３ａが、接続面３２２ａと同じ高さ、または、接続面３２２ａよりも低い位置に配置されていてもよい。ただし、接続面３２１ａと接続面３３３ａとが同じ高さの方が、第一接続部材４１０を単純な形状で構成して、容易に接続面３２１ａ及び接続面３３３ａに接続することができる。
【００５４】
また、第二接続部材４２０は、２つの第二接続面のうちの一方の第二接続面から、他方の第二接続面に向けた方向（Ｘ軸方向）と異なる方向（本実施の形態ではＹ軸方向）に延びて、２つの第二接続面と接続される。具体的には、第二接続部材４２０は、２つの第二接続面から、当該第二接続面と交差する方向から見て第二蓄電ユニットの外方へ延びて、２つの第二接続面と接続される。なお、第二接続面と交差する方向とは、特に限定されないが、例えば、当該第二接続面の法線方向（Ｚ軸方向、上方）などであり、第二接続面と交差する方向から見てとは、例えば、上面視（平面視）などと言い換えることができる。
【００５５】
つまり、例えば、Ｘ軸方向マイナス側に配置されている第二接続部材４２０は、接続面３２２ａ及び３３４ａから、上面視（平面視）で第二蓄電ユニットの外方（Ｙ軸方向マイナス側）へ延びて、接続面３２２ａ及び３３４ａと接続されている。このようにして、第二接続部材４２０は、第一接続部材４１０と接触しないような構成となっている。
【００５６】
ここで、第二接続部材４２０は、２つの上面部４２１と、当該２つの上面部４２１を繋ぐ側面部４２２とを有している。上面部４２１は、第二蓄電ユニットの上方に配置され、Ｙ軸方向に延びる矩形状かつ平板状の部位であり、側面部４２２は、第二蓄電ユニットの側方に配置され、Ｘ軸方向に延びる矩形状かつ平板状の部位である。つまり、第二接続部材４２０は、Ｙ軸方向へ延びる板状部材をＺ軸方向マイナス側へ折り曲げたような形状を有している。この構成により、第二接続部材４２０が配置されることによって蓄電装置１０のＹ軸方向の幅が広がるのを抑制している。
【００５７】
なお、上面部４２１が延びる方向は、Ｙ軸方向には限定されず、Ｙ軸方向から、Ｘ軸方向プラス側またはＸ軸方向マイナス側などに傾斜した方向でもよい。また、側面部４２２が延びる方向は、Ｘ軸方向には限定されず、Ｘ軸方向から、Ｚ軸方向プラス側またはＺ軸方向マイナス側などに傾斜した方向でもよい。
【００５８】
以上のように、本実施の形態に係る蓄電装置１０によれば、発熱量が異なる第一蓄電ユニットと第二蓄電ユニットとを備えており、２つの第一蓄電ユニットの端子を接続する第一接続部材４１０は、第二蓄電ユニットの端子には接続されず、２つの第二蓄電ユニットの端子を接続する第二接続部材４２０は、第一蓄電ユニットの端子には接続されない。ここで、第一蓄電ユニットと第二蓄電ユニットとが同じ接続部材で直列接続されると電流値が同じになり、並列接続されると電圧値が同じになるが、異なる接続部材に接続されるため、電流値や電圧値に制限がなく、発熱量の差が大きくなる傾向にある。つまり、蓄電装置１０は、複数の第一蓄電ユニットを有する蓄電装置と、複数の第二蓄電ユニットを有する蓄電装置という発熱量の差が大きくなる傾向にある２つの蓄電装置を備えたような構成になっている。そして、このような構成において、２つの第一蓄電ユニットの間に第二蓄電ユニットが配置され、２つの第二蓄電ユニットの間に第一蓄電ユニットが配置される。これにより、発熱量が異なる第一蓄電ユニットと第二蓄電ユニットとを分散させて配置させることで、蓄電装置１０内の温度分布の均一化を図ることができる。
【００５９】
また、上記構成により、第一蓄電ユニットと第二蓄電ユニットとの間に設ける断熱材の厚みを厚くしたり隙間を広くしたりして熱が伝わらないような過剰な構成をとる必要がないため、蓄電装置１０の小型化を図ることができる。
【００６０】
また、第二蓄電ユニットの端子の第二接続部材４２０との接続面である第二接続面が、２つの第一蓄電ユニットの端子の第一接続部材４１０との接続面である２つの第一接続面を結ぶ線分上に配置されていない。このため、第一接続部材４１０で２つの第一接続面を結ぶ際に、第二接続面が邪魔になるのを抑制することができる。
【００６１】
また、少なくとも１つの第一接続面を第二接続面よりも高い位置に配置して、第一接続部材４１０を、一方の第一接続面から他方の第一接続面に向けて延びるように、２つの第一接続面と接続させる。これにより、第一接続部材４１０を、２つの第一接続面を直線的に結ぶ簡易な構成とすることができる。
【００６２】
また、第二接続部材４２０が、一方の第二接続面から他方の第二接続面に向けた方向と異なる方向に延びて２つの第二接続面と接続する構成とすることで、第二接続部材４２０に、第一蓄電ユニットの端子を迂回させ、容易に、２つの第二接続面と接続させることができる。
【００６３】
また、第二蓄電ユニットの正極端子３２０と負極端子３３０との間にガス排出弁３４０や基板などが配置される場合には、ガスの排出経路や当該基板の配置スペースなどを確保する必要がある。このため、第二接続部材４２０が、２つの第二接続面から第二蓄電ユニットの外方へ延びて２つの第二接続面と接続される構成とすることで、ガスの排出経路や当該基板の配置スペースなどを容易に確保することができる。
【００６４】
以上のように、蓄電装置１０において、第一接続部材４１０及び第二接続部材４２０を上記のように構成することで、蓄電装置１０内の温度分布の均一化を容易に図ることができる。
【００６５】
（変形例１）
次に、上記実施の形態の変形例１について、説明する。図４Ａは、本実施の形態の変形例１に係る蓄電素子３００の電極端子とバスバー４００との接続形態及びバスバー４００の構成を示す平面図である。また、図４Ｂは、本実施の形態の変形例１に係る蓄電素子３００の電極端子とバスバー４００との接続形態及びバスバー４００の構成を示す側面図である。なお、図４Ａは、図３Ａに対応する図であり、図４Ｂは、図３Ｂに対応する図である。
【００６６】
上記実施の形態では、第二接続部材４２０は、２つの第二接続面から第二蓄電ユニットの外方へ延びて、２つの第二接続面と接続されることとした。しかし、本変形例では、第二接続部材４３０は、２つの第二接続面から第二蓄電ユニットの内側へ延びて、２つの第二接続面と接続される。なお、その他の構成については、上記実施の形態の構成と同様であるため、説明は省略する。
【００６７】
具体的には、これらの図に示すように、例えば、Ｘ軸方向マイナス側に配置されている第二接続部材４３０は、接続面３２２ａ及び３３４ａから、上面視（平面視）で第二蓄電ユニットの内側（Ｙ軸方向プラス側）へ延びて、接続面３２２ａ及び３３４ａと接続されている。さらに具体的には、第二接続部材４３０は、２つの上面部４３１と、当該２つの上面部４３１を繋ぐ繋ぎ部４３２とを有している。上面部４３１は、第二接続面の上方に配置され、Ｙ軸方向に延びる矩形状かつ平板状の部位であり、繋ぎ部４３２は、上面部４３１よりもＹ軸方向プラス側に配置され、Ｘ軸方向に延びる矩形状かつ平板状の部位である。
【００６８】
なお、上面部４３１が延びる方向は、Ｙ軸方向には限定されず、Ｙ軸方向から、Ｘ軸方向プラス側またはＸ軸方向マイナス側などに傾斜した方向でもよい。また、繋ぎ部４３２が延びる方向は、Ｘ軸方向には限定されず、Ｘ軸方向から、Ｙ軸方向プラス側またはＹ軸方向マイナス側などに傾斜した方向でもよい。
【００６９】
以上のように、本変形例に係る蓄電装置１０によれば、上記実施の形態と同様の効果を奏することができる。特に、本変形例では、板状部材を折り曲げることなく第二接続部材４３０を形成することができるため、第二接続部材４３０を容易に作製することができる。また、この構成により、第二接続部材４３０を配置しても、蓄電装置１０のＹ軸方向の幅が広がらない構成となるため、蓄電装置１０の小型化を図ることができる。
【００７０】
（変形例２）
次に、上記実施の形態の変形例２について、説明する。図５Ａは、本実施の形態の変形例２に係る蓄電素子３００の電極端子とバスバー４００との接続形態及びバスバー４００の構成を示す平面図である。また、図５Ｂは、本実施の形態の変形例２に係る蓄電素子３００の電極端子とバスバー４００との接続形態及びバスバー４００の構成を示す側面図である。なお、図５Ａは、図３Ａに対応する図であり、図５Ｂは、図３Ｂに対応する図である。
【００７１】
上記実施の形態では、第一接続面が第二接続面よりも高い位置に配置されることで、第二接続面が、２つの第一接続面を結ぶ線分上とは異なる位置に配置されていることとした。しかし、本変形例では、第一接続面は第二接続面と同じ高さに配置されるが、上記実施の形態と同様に、第二接続面は、２つの第一接続面を結ぶ線分上とは異なる位置に配置されている。
【００７２】
具体的には、これらの図に示すように、第一蓄電ユニット（蓄電素子３０１、３０３、３０５及び３０７）は、第二蓄電ユニット（蓄電素子３０２、３０４、３０６及び３０８）の第二接続面と同じ高さの第一接続面を有している。また、第二蓄電ユニットは、第二接続面を内側に有している。つまり、第二蓄電ユニットは、正極端子及び負極端子を、第一蓄電ユニットの正極端子及び負極端子よりも中央寄りに有している。
【００７３】
この構成により、２つの第一接続面の間に配置される第二接続面は、当該第二接続面と交差する方向から見て、２つの第一接続面を結ぶ線分上とは異なる位置に配置されている。また、２つの第二接続面の間に配置される第一接続面は、当該第一接続面と交差する方向から見て、２つの第二接続面を結ぶ線分上とは異なる位置に配置されている。つまり、第一接続面及び第二接続面は、Ｙ軸方向にずれた位置で、ともに、Ｘ軸方向に並んで配置されている。
【００７４】
なお、第二接続面と交差する方向とは、特に限定されないが、例えば、当該第二接続面の法線方向（Ｚ軸方向、上方）などであり、第二接続面と交差する方向から見てとは、例えば、上面視（平面視）などと言い換えることができる。第一接続面と交差する方向についても、同様である。
【００７５】
これにより、第一接続部材４１０は、２つの第一接続面のうちの一方の第一接続面から他方の第一接続面に向けて延びて２つの第一接続面と接続される。また、第二接続部材４４０は、２つの第二接続面のうちの一方の第二接続面から他方の第二接続面に向けて延びて２つの第二接続面と接続される。つまり、第一接続部材４１０と第二接続部材４４０とは、ともに、Ｘ軸方向に延びる矩形状かつ平板状の部材となる。なお、その他の構成については、上記実施の形態の構成と同様であるため、説明は省略する。
【００７６】
以上のように、本変形例に係る蓄電装置１０によれば、上記実施の形態と同様の効果を奏することができる。特に、本変形例では、第二接続面を、当該第二接続面と交差する方向から見て、２つの第一接続面を結ぶ線分上に配置せずに、第一接続部材４１０を、一方の第一接続面から他方の第一接続面に向けて延びるように、２つの第一接続面と接続させる。これにより、第一接続部材４１０を、２つの第一接続面を直線的に結ぶ簡易な構成とすることができる。また、第一接続面を、当該第一接続面と交差する方向から見て、２つの第二接続面を結ぶ線分上には配置せずに、第二接続部材４３０を、一方の第二接続面から他方の第二接続面に向けて延びるように、２つの第二接続面と接続させる。これにより、第二接続部材４３０を、２つの第二接続面を直線的に結ぶ簡易な構成とすることができる。
【００７７】
なお、第一蓄電ユニット及び第二蓄電ユニットの端子の位置は、第一接続部材４１０と第二接続部材４４０とが交差しないのであれば、上記には限定されない。例えば、第二蓄電ユニットの正極端子及び負極端子を中央寄りに配置するのではなく、第一蓄電ユニットの正極端子及び負極端子を中央寄りに配置する構成でもよい。また、第二蓄電ユニットの正極端子及び負極端子の一方のみを中央寄りに配置し、第一蓄電ユニットの正極端子及び負極端子の他方のみを中央寄りに配置する構成でもよい。この場合、蓄電ユニット（蓄電素子３００）の容器３１０の蓋部の形状を共通化できる。
【００７８】
また、本変形例では、第一接続面は第二接続面と同じ高さに配置されていることとしたが、第一接続面と第二接続面とが異なる高さに配置されていても、本変形例の構成を実現することができる。
【００７９】
（変形例３）
次に、上記実施の形態の変形例３について、説明する。図６Ａは、本実施の形態の変形例３に係る蓄電素子３００の電極端子とバスバー４００との接続形態及びバスバー４００の構成を示す平面図である。また、図６Ｂは、本実施の形態の変形例３に係る蓄電素子３００の電極端子とバスバー４００との接続形態及びバスバー４００の構成を示す側面図である。なお、図６Ａは、図３Ａに対応する図であり、図６Ｂは、図３Ｂに対応する図である。
【００８０】
上記実施の形態では、第一接続面が第二接続面よりも高い位置に配置されることで、第二接続面が、２つの第一接続面を結ぶ線分上とは異なる位置に配置されていることとした。しかし、本変形例では、第一接続面と第二接続面とは同じ高さに配置されており、第二接続面は、２つの第一接続面を結ぶ線分上に配置されている。
【００８１】
具体的には、これらの図に示すように、第一接続部材４５０は、上記変形例１における第二接続部材４３０と同様の形状を有し、第二接続部材４２０は、上記実施の形態における第二接続部材４２０と同様の形状を有している。この構成により、第一接続部材４５０及び第二接続部材４２０は、２つの第一接続面及び２つの第二接続面から、第一接続面と第二接続面とを結ぶ直線に対して反対側に延びて、２つの第一接続面及び２つの第二接続面と接続されている。
【００８２】
つまり、第一接続部材４５０は、第一接続面からＹ軸方向の内側に延び、第二接続部材４２０は、第二接続面からＹ軸方向の外側に延びている。なお、第一接続部材４５０が、第一接続面からＹ軸方向の外側に延び、第二接続部材４２０が、第二接続面からＹ軸方向の内側に延びていてもよい。または、第一接続部材４５０及び第二接続部材４２０の延びる方向は、Ｙ軸方向から、Ｘ軸方向プラス側またはＸ軸方向マイナス側などに傾斜した方向でもよい。なお、その他の構成については、上記実施の形態の構成と同様であるため、説明は省略する。
【００８３】
以上のように、本変形例に係る蓄電装置１０によれば、上記実施の形態と同様の効果を奏することができる。特に、本変形例では、第一接続面と第二接続面とが同じ高さに配置され、第一接続部材４５０及び第二接続部材４２０が、第一接続面及び第二接続面から反対側に延びて、２つの第一接続面及び２つの第二接続面と接続される。このため、第一接続面と第二接続面とが同じ高さに配置されている場合でも、第一接続部材４５０及び第二接続部材４２０が、第二蓄電ユニットの端子及び第一蓄電ユニットの端子を迂回することで、容易に、第一接続部材４５０及び第二接続部材４２０を２つの第一接続面及び２つの第二接続面と接続させることができる。
【００８４】
なお、本変形例では、第一接続面と第二接続面とが同じ高さに配置されていることとしたが、第一接続面と第二接続面とが異なる高さに配置されていても、本変形例の構成を実現することができる。
【００８５】
（変形例４）
次に、上記実施の形態の変形例４について、説明する。図７Ａは、本実施の形態の変形例４に係る蓄電素子３００の電極端子とバスバー４００との接続形態及びバスバー４００の構成を示す平面図である。また、図７Ｂは、本実施の形態の変形例４に係る蓄電素子３００の電極端子とバスバー４００との接続形態及びバスバー４００の構成を示す側面図である。なお、図７Ａは、図３Ａに対応する図であり、図７Ｂは、図３Ｂに対応する図である。
【００８６】
上記実施の形態では、第一接続面が第二接続面よりも高い位置に配置されることで、第二接続面が、２つの第一接続面を結ぶ線分上とは異なる位置に配置されていることとした。しかし、本変形例では、第一接続面と第二接続面とは同じ高さに配置されており、第二接続面は、２つの第一接続面を結ぶ線分上に配置されている。
【００８７】
具体的には、これらの図に示すように、第一接続部材４６０は、２つの第一接続面から、第二接続面よりも高い位置まで延び、かつ、第二接続面を跨いで、２つの第一接続面と接続される。つまり、第一接続部材４６０は、２つの上面部４６１と、当該２つの上面部４６１を繋ぐ繋ぎ部４６２とを有している。上面部４６１は、第一接続面の上方に配置され、Ｚ軸方向プラス側に延びる矩形状かつ平板状の部位であり、繋ぎ部４６２は、上面部４６１よりもＺ軸方向プラス側に配置され、Ｘ軸方向に延びる矩形状かつ平板状の部位である。
【００８８】
なお、上面部４６１が延びる方向は、Ｚ軸方向には限定されず、Ｚ軸方向から、Ｘ軸方向またはＹ軸方向のプラス側またはマイナス側などに傾斜した方向でもよい。また、繋ぎ部４６２が延びる方向は、Ｘ軸方向には限定されず、Ｘ軸方向から、Ｙ軸方向またはＺ軸方向のプラス側またはマイナス側などに傾斜した方向でもよい。
【００８９】
また、第二接続部材４２０は、上記実施の形態における第二接続部材４２０と同様の形状を有している。なお、第二接続部材４２０は、上記変形例１における第二接続部材４３０と同様の形状を有していることにしてもよい。また、その他の構成については、上記実施の形態の構成と同様であるため、説明は省略する。
【００９０】
以上のように、本変形例に係る蓄電装置１０によれば、上記実施の形態と同様の効果を奏することができる。特に、本変形例では、第一接続面と第二接続面とが同じ高さに配置されている場合でも、第一接続部材４６０が、第二接続面よりも高い位置で第二接続面を跨ぐことで、容易に、第一接続部材４６０を２つの第一接続面と接続させることができる。
【００９１】
なお、本変形例では、第一接続面と第二接続面とが同じ高さに配置されていることとしたが、第一接続面と第二接続面とが異なる高さに配置されていても、本変形例の構成を実現することができる。
【００９２】
（変形例５）
次に、上記実施の形態の変形例５について、説明する。図８は、本実施の形態の変形例５に係る蓄電装置１０ａの構成を模式的に示す平面図である。
【００９３】
上記実施の形態では、蓄電装置１０は、１つの蓄電素子を有する第一蓄電ユニットを複数備えるとともに、１つの蓄電素子を有し第一蓄電ユニットとは発熱量が異なる第二蓄電ユニットを複数備えていることとした。しかし、本変形例では、蓄電装置１０ａは、複数の蓄電素子を有する第一蓄電ユニットを複数備えるとともに、複数の蓄電素子を有し第一蓄電ユニットとは発熱量が異なる第二蓄電ユニットを複数備えている。
【００９４】
具体的には、同図に示すように、蓄電装置１０ａは、複数の蓄電モジュール１１と、複数の蓄電モジュール１２とを、Ｘ軸方向に交互に備えている。また、蓄電モジュール１１は、Ｙ軸方向に並ぶ複数の蓄電素子３００ａを備え、蓄電モジュール１２は、Ｙ軸方向に並ぶ複数の蓄電素子３００ｂを備えている。ここで、蓄電素子３００ａと蓄電素子３００ｂとは、発熱量が異なる。このため、蓄電モジュール１１と蓄電モジュール１２とも、発熱量が異なる。つまり、本変形例では、蓄電モジュール１１が第一蓄電ユニットに相当し、蓄電モジュール１２が第二蓄電ユニットに相当する。
【００９５】
また、蓄電モジュール１１、１２は、それぞれ、正極及び負極の端子を有している。そして、蓄電装置１０ａは、蓄電モジュール１２の端子と接続されることなく、２つの蓄電モジュール１１の端子と接続される第一接続部材と、蓄電モジュール１１の端子と接続されることなく、２つの蓄電モジュール１２の端子と接続される第二接続部材とを備えている。なお、蓄電モジュールの端子、第一接続部材及び第二接続部材の構成は、上記の実施の形態またはその変形例と同様であるため、図示は省略している。
【００９６】
このように、蓄電装置１０ａは、上記実施の形態等と同様に、２つの第一蓄電ユニットの間に配置される第二蓄電ユニットの端子と接続されることなく、２つの第一蓄電ユニットの端子と接続される第一接続部材と、２つの第二蓄電ユニットの間に配置される第一蓄電ユニットの端子と接続されることなく、２つの第二蓄電ユニットの端子と接続される第二接続部材とを備えている。
【００９７】
以上のように、本変形例に係る蓄電装置１０ａによれば、上記実施の形態等と同様の効果を奏することができる。特に、本変形例では、蓄電ユニットが複数の蓄電素子を有する構成においても、発熱量が異なる第一蓄電ユニットと第二蓄電ユニットとを分散させて配置させることで、蓄電装置１０ａ内の温度分布の均一化を図ることができる。
【００９８】
以上、本発明の実施の形態及びその変形例に係る蓄電装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなく特許請求の範囲によって示され、特許請求の範囲と均等の意味及び範囲内での全ての変更が含まれることが意図される。
【００９９】
例えば、上記実施の形態及びその変形例では、第一蓄電ユニット及び第二蓄電ユニットは、上方に向いた第一接続面及び第二接続面を有していることとした。しかし、第一接続面及び第二接続面は、どのような方向に向いていてもよく、例えば、第一接続面及び第二接続面が異なる方向（なす角が９０°や１８０°等）に向いていれば、第一接続部材及び第二接続部材を、互いに干渉することなく配置することができる。また、第一接続面または第二接続面を、蓄電ユニットの側面や下面に配置することにしてもよい。ただし、第一接続面及び第二接続面が同じ方向に向いている方が、第一接続部材及び第二接続部材との接続作業が容易であるので、好ましい。
【０１００】
また、上記実施の形態及びその変形例では、第一接続部材及び第二接続部材は、第一蓄電ユニット及び第二蓄電ユニットを直列に接続していることとした。しかし、第一接続部材及び第二接続部材は、第一蓄電ユニット及び第二蓄電ユニットを並列に接続する構成でもよいし、一部を直列に接続し、残りの一部を並列に接続する構成でもよい。
【０１０１】
また、上記実施の形態及びその変形例では、第一蓄電ユニットと第二蓄電ユニットとが交互に配置されていることとした。しかし、２つの第一蓄電ユニットの間に複数の第二蓄電ユニットが配置されてもよいし、２つの第二蓄電ユニットの間に複数の第一蓄電ユニットが配置されてもよい。
【０１０２】
また、上記実施の形態及びその変形例では、第一蓄電ユニットと第二蓄電ユニットとは、蓄電装置内では電気的に接続されない構成となっているが、外部端子を介して、蓄電装置外で電気的に接続されてもよい。
【０１０３】
また、上記実施の形態及びその変形例に含まれる構成要素を任意に組み合わせて構築される形態も、本発明の範囲内に含まれる。
【０１０４】
また、本発明は、このような蓄電装置として実現することができるだけでなく、当該蓄電装置が備える接続部材（第一接続部材、第二接続部材）としても実現することができる。
【産業上の利用可能性】
【０１０５】
本発明は、リチウムイオン二次電池などの蓄電素子を備えた蓄電装置に適用できる。
【符号の説明】
【０１０６】
１０、１０ａ  蓄電装置
１１、１２  蓄電モジュール
３００、３００ａ、３００ｂ、３０１〜３０８  蓄電素子
３２０、３２１〜３２８  正極端子
３２１ａ〜３２８ａ、３３１ａ〜３３８ａ  接続面
３３０、３３１〜３３８  負極端子
４００  バスバー
４１０、４５０、４６０  第一接続部材
４２０、４３０、４４０  第二接続部材
【図１】
2018032560.tif 000003
【図２】
2018032560.tif 000004
【図３Ａ】
2018032560.tif 000005
【図３Ｂ】
2018032560.tif 000006
【図４Ａ】
2018032560.tif 000007
【図４Ｂ】
2018032560.tif 000008
【図５Ａ】
2018032560.tif 000009
【図５Ｂ】
2018032560.tif 000010
【図６Ａ】
2018032560.tif 000011
【図６Ｂ】
2018032560.tif 000012
【図７Ａ】
2018032560.tif 000013
【図７Ｂ】
2018032560.tif 000014
【図８】
2018032560.tif 000015